(57)【要約】  【課題】  受信波に含まれる変調信号成分がノイズ成分と一緒に整流され、整流器のＤＣ電圧が変化することにより制御回路が誤動作することを防止することができる受信機のノイズスケルチ回路を提供する。  【解決手段】  受信ノイズを検出してスピーカをオン／オフ制御する受信機のノイズスケルチ回路において、変調信号を反転増幅して変調信号の逆位相成分を抽出し、これを元信号に加算して加算信号を得ることで、変調信号から変調信号成分を除去する第１，第２ローパスフィルタ２１，２２、反転増幅器２３及び加算器２４の出力信号である加算信号に基づいて受信ノイズを検出する受信ノイズ検出器とを備えてなる。  【選択図】  図１
2006025273.tif 000002
【特許請求の範囲】
【請求項１】
受信ノイズを検出してスピーカをオン／オフ制御する受信機のノイズスケルチ回路において、
変調信号を反転増幅して前記変調信号の逆位相成分を抽出し、これを元信号に加算して加算信号を得ることで、前記変調信号から変調信号成分を除去する変調信号成分除去手段と、
前記変調信号成分除去手段の出力信号である前記加算信号に基づいて前記受信ノイズを検出する受信ノイズ検出器とを備えてなるノイズスケルチ回路。
【発明の詳細な説明】
【技術分野】
【０００１】
本発明は、受信ノイズを検出してスピーカをオン／オフ制御する受信機のノイズスケルチ回路に関するものである。
【背景技術】
【０００２】
ＦＭ方式の受信機では、受信電界が弱いときに、ノイズ信号レベルが大きく、受信電界が強いときにはノイズ信号レベルが小さくなる。ノイズスケルチ回路では、この特性を利用し、ノイズ信号を整流したＤＣ電圧を観測し、判定することにより、スケルチ制御に用いている。
【０００３】
図３は従来のノイズスケルチ回路を含む受信機の全体回路図であり、図４は従来のノイズスケルチ回路の回路動作を示す説明図である。図３において受信機は、ＦＭ検波器１と、ＦＭ検波器１の出力側に接続される音声処理回路２と、音声処理回路２の出力側に設けられてその出力を増幅する低周波増幅器３と、低周波増幅器３の出力側に設けられたスピーカ４とを備える。
【０００４】
また、この受信機はノイズスケルチ回路５と、このノイズスケルチ回路５の出力側に設けられ、ノイズスケルチ回路５の出力に基づいて低周波増幅器３を制限する制御回路６とを備えている。ノイズスケルチ回路５は、ハイパスフィルタ１１とローパスフィルタ１２とノイズ増幅器１３と整流器１４と平滑回路１５とが順次接続されている。
【０００５】
以下、動作について説明する。受信波はＦＭ検波器１で復調され変調信号成分とノイズ信号成分が出力される。これは音声処理回路２及び低周波増幅器３を通りスピーカ４へ出力されるが、一方、ノイズスケルチ回路５のハイパスフィルタ１１、ローパスフィルタ１２により制限されたある帯域のノイズ信号が取り出され、ノイズ増幅器１３を介して整流器１４に送られる。ＦＭ検波器１の出力復調信号を図４（ａ）に示し、整流器１４に入力されるノイズを図４の（ｂ）に示す。整流器１４ではノイズを整流してＤＣ電圧に変換し、平滑回路１５でリップルを低減した後、そのレベルを制御回路６で読み込み、判定しスケルチ制御する。
【発明の開示】
【発明が解決しようとする課題】
【０００６】
しかし、従来のノイズスケルチ回路５では、もし変調信号成分が大きく、フィルタの減衰が不足している場合、高周波ノイズ信号と共に変調波信号が整流される結果、整流器１４のＤＣ電圧出力が増加し、このため制御回路が誤動作することになるという問題があった。
【０００７】
本発明は、受信波に含まれる変調信号成分がノイズ成分と一緒に整流され、整流器のＤＣ電圧が変化することにより制御回路が誤動作することを防止することができる受信機のノイズスケルチ回路を提供することを目的としている。
【課題を解決するための手段】
【０００８】
上述した課題を解決するため、本発明に係るノイズスケルチ回路は、受信ノイズを検出してスピーカをオン／オフ制御する受信機のノイズスケルチ回路において、変調信号を反転増幅して前記変調信号の逆位相成分を抽出し、これを元信号に加算して加算信号を得ることで、前記変調信号から変調信号成分を除去する変調信号成分除去手段（第１ローパスフィルタ２１と、第２ローパスフィルタ２２及び反転増幅器２３の直列回路と、これらの出力を加算する加算器２４）と、前記変調信号成分除去手段の出力信号である前記加算信号に基づいて前記受信ノイズを検出する受信ノイズ検出器とを備えてなるものである。
【発明の効果】
【０００９】
以上に詳述したように本発明によれば、変調された受信波に対して安定したスケルチ制御を実現できる。またフィルタのカットオフ周波数と反転増幅器のゲインを調整することにより、さまざまな変調信号に対して最適化した設定にすることが可能である。
【発明を実施するための最良の形態】
【００１０】
以下、本発明の実施の形態について図面を参照しつつ説明する。図１は本実施の形態によるノイズスケルチ回路を含む受信機の全体回路図、図２は実施の形態の動作を示す説明図である。なお、図１において図３と同一符号は図３のそれらと同一又は相当物であり、ここでの説明を省略する。
【００１１】
本実施の形態におけるノイズスケルチ回路５Ａは、第１ローパスフィルタ２１と、第１ローパスフィルタ２１に並列に設けられた第２ローパスフィルタ２２及び反転増幅器２３の直列回路と、これら第１ローパスフィルタ２１の出力と反転増幅器２３の出力を加算する加算器２４と、加算器２４の出力側に設けられたノイズ増幅器１３Ａと、ノイズ増幅器１３Ａの出力側に設けられた整流器１４及び平滑回路１５とを備えている。
【００１２】
以下、本発明の実施の形態におけるノイズスケルチ回路５Ａの動作について、図２を用いて説明する。受信波は検波器で復調され、図２（ａ）で示すような変調信号成分とノイズ信号成分を含んだ復調信号が出力される。この信号は音声処理回路２を通り、低周波増幅器３で信号増幅されスピーカ４に出力される。弱電界において、ＦＭ受信機のノイズ信号は大きくなるため、ノイズスケルチ回路５Ａで低周波増幅器３を制御し、スピーカ４から大きいノイズ音が出ないようにする必要がある。
【００１３】
ノイズスケルチ回路５Ａは復調信号のノイズ信号成分レベルを検出し、受信電界強度を判定してスケルチの制御を行う。そこで、実施の形態におけるノイズスケルチ回路５Ａでは、まずＦＭ検波器１の出力復調信号をカットオフ周波数ｆLP1の第１ローパスフィルタ（ＬＰＦ−１）２１（通常は３０〜１００ｋＨｚ程度）に入力し、高周波成分を除去する。この信号を図２（ｂ）に示す。
【００１４】
また、もう一方は復調信号をｆLP1より低いカットオフ周波数ｆLP2の第２ローパスフィルタ（ＬＰＦ−２）２２（通常は５〜１０ｋＨｚ）に入力し、反転増幅器２３により反転増幅する。この信号を図２（ｃ）に示す。
【００１５】
次に逆位相の関係にあるこれら２つの信号を加算器２４で合成し、ｆLP2以下の低周波成分を除去する。このｆLP2以下の低周波数成分は音声等の変調信号の成分であり、これを除去してノイズ信号成分を抽出する。
【００１６】
従来はハイパスフィルタにより低周波数を除去しているが、高次のフィルタが必要であり減衰量や回路規模の点などからトレードオフ条件が多く設計上制約が大きい。しかし、逆位相の信号を元信号に加算する方式ではＡＣ成分が打ち消しあうためフィルタの減衰量に依存せず、原理的に大振幅の復調信号に対しても効果が大きい。また、反転増幅器のゲインを可変して経路の違いによる差を調整して加算すれば、ｆLP2以下の低周波数成分に対する減衰量を最適化することが可能である。
【００１７】
こうして加算された信号はノイズ増幅器１３Ａでレベル調整され、整流器１４でＤＣ電圧信号に変換される。この時ノイズ増幅器１３Ａのゲインは、ノイズスケルチ回路５Ａ全体を通してのダイナミックレンジが最適となるよう調整する。
【００１８】
整流器１４の入力ノイズ信号を図２の（ｄ）に示す。ＤＣ電圧信号は平滑回路１５でさらにリップルを除去して後、制御回路６に取り込まれる。制御回路６はこの観測された値を判定し、低周波増幅器３を制御し、スピーカ４の出力をオン／オフする。
【図面の簡単な説明】
【００１９】
【図１】本実施の形態によるノイズスケルチ回路を含む受信機の全体回路図である。
【図２】本実施の形態の動作を示す説明図である。
【図３】従来のノイズスケルチ回路を含む受信機の全体回路図である。
【図４】従来のノイズスケルチ回路の回路動作を示す説明図である。
【符号の説明】
【００２０】
１  ＦＭ検波器、２  音声処理回路、３  低周波増幅器、４  スピーカ、５，５Ａ  スケルチ回路、２１  第１ローパスフィルタ、２２  第２ローパスフィルタ、２３  反転増幅器、２４  加算器、１３，１３Ａ  ノイズ増幅器、１４  整流器、１５  平滑回路、１６  制御回路。
【図１】
2006025273.tif 000003
【図２】
2006025273.tif 000004
【図３】
2006025273.tif 000005
【図４】
2006025273.tif 000006